(57)【特許請求の範囲】
【請求項１】
紙幣を取込又は排出する接客部と、
少なくとも紙幣の記番号を取得する鑑別部と、
前記紙幣を順に並べて収納する収納庫と、
前記接客部により取り込んだ前記紙幣を、所定の保留部に搬送することなく、前記収納庫へ直接搬送する搬送部と、
前記収納庫に収納された紙幣の記番号を収納された順に記憶する記憶部と、
前記接客部から取り込んだ前記紙幣が前記搬送部上で搬送不良となった場合、前記接客部により前記紙幣を取り込む以前から前記収納庫に収納されていた紙幣の記番号と、前記接客部により前記紙幣を取り込んだ後であり前記搬送不良が発生する前に前記収納庫に収納された紙幣の記番号とを区別して認識させるよう所定の提示部に提示する制御部と
を有する紙幣取引装置。
【請求項２】
前記制御部は、前回の取引終了時までに前記収納庫に収納された最終の紙幣である前取引時最終紙幣の記番号である前取引時最終紙幣記番号と、今回の取引において前記搬送不良が発生した際に既に前記収納庫に収納された紙幣である今回取引時収納紙幣の記番号である今回取引時収納紙幣記番号とを区別して認識させるよう前記提示部に提示する
請求項１に記載の紙幣取引装置。
【請求項３】
前記記憶部は、前記収納庫に収納された紙幣の記番号を収納された順に収納記番号データとして記憶し、取引が終了する際に、前記前取引時最終紙幣記番号を前記収納記番号データにおいて設定する
請求項２に記載の紙幣取引装置。
【請求項４】
前記制御部は、前記前取引時最終紙幣記番号を前記提示部に提示する
請求項２に記載の紙幣取引装置。
【請求項５】
前記制御部は、前記今回取引時収納紙幣記番号を前記提示部に提示する
請求項２に記載の紙幣取引装置。
【請求項６】
前記制御部は、前記前取引時最終紙幣記番号及び前記今回取引時収納紙幣記番号を区分けして前記提示部に提示する
請求項２に記載の紙幣取引装置。
【請求項７】
前記記憶部は、前記収納庫に収納された紙幣の記番号を収納された順に収納記番号データとして記憶し、
前記制御部は、前記収納記番号データを前記提示部に提示する
請求項２に記載の紙幣取引装置。
【請求項８】
前記制御部は、前記前取引時最終紙幣記番号を、前記収納記番号データにおける他の記番号とは異なる態様で前記提示部に提示する
請求項７に記載の紙幣取引装置。
【請求項９】
前記制御部は、前記今回取引時収納紙幣記番号を、前記収納記番号データにおける他の記番号とは異なる態様で前記提示部に提示する
請求項７に記載の紙幣取引装置。
【請求項１０】
前記制御部は、前記前取引時最終紙幣記番号及び前記今回取引時収納紙幣記番号を、前記収納記番号データにおける他の記番号とは異なる態様で前記提示部に提示する
請求項７に記載の紙幣取引装置。
【請求項１１】
前記制御部は、前記前取引時最終紙幣記番号と前記今回取引時収納紙幣記番号とを、互いに異なる態様で前記提示部に提示する
請求項１０に記載の紙幣取引装置。
【請求項１２】
前記制御部は、前記収納記番号データにおける、前記紙幣を収納した前記収納庫に当該紙幣の記番号を追加すると共に、前記紙幣を繰り出した前記収納庫から当該紙幣の記番号を削除することにより、前記収納記番号データを更新する
請求項３に記載の紙幣取引装置。
【請求項１３】
前記提示部は、画像を表示するディスプレイである
請求項１に記載の紙幣取引装置。
【発明の詳細な説明】
【技術分野】
【０００１】
本発明は紙幣取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金する。現金自動取引装置としては、例えば顧客との間で紙幣の授受を行う接客部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納するリサイクル庫とを有するものがある。
【０００３】
このような現金自動取引装置には、入金取引において入金が確定する前の紙幣を一時保留部に保留せず、接客部からリサイクル庫へ直接搬送して収納するダイレクト入金を行うことにより、一時保留部の保留上限枚数に制限されることなく一回の取引で多数の紙幣を入金させ、入金取引を迅速化し運用効率を向上させるものがある（例えば、特許文献１参照）。
【先行技術文献】
【特許文献】
【０００４】
【特許文献１】特開２０１３−１１７８９９号公報
【発明の概要】
【発明が解決しようとする課題】
【０００５】
しかしながら、そのようなダイレクト入金運用の場合、入金取引において入金が確定する前の紙幣をリサイクル庫へ搬送して収納するため、現金自動取引装置側のものとして取り扱う紙幣と顧客側のものとして取り扱う紙幣とが、入金が確定する前にリサイクル庫に混在することとなる。このためダイレクト入金を行う従来の現金自動取引装置においては、入金が確定する前に搬送不良が発生すると、顧客へ紙幣を返却する際、今回の取引において顧客が入金した紙幣を特定することが困難になってしまい、信頼性を保てない可能性があった。
【０００６】
本発明は以上の点を考慮してなされたもので、信頼性を高め得る紙幣取引装置を提案しようとするものである。
【課題を解決するための手段】
【０００７】
かかる課題を解決するため本発明の紙幣取引装置においては、紙幣を取込又は排出する接客部と、少なくとも紙幣の記番号を取得する鑑別部と、紙幣を順に並べて収納する収納庫と、接客部により取り込んだ紙幣を、所定の保留部に搬送することなく、収納庫へ直接搬送する搬送部と、収納庫に収納された紙幣の記番号を収納された順に記憶する記憶部と、接客部から取り込んだ紙幣が搬送部上で搬送不良となった場合、接客部により紙幣を取り込む以前から収納庫に収納されていた紙幣の記番号と、接客部により紙幣を取り込んだ後であり搬送不良が発生する前に収納庫に収納された紙幣の記番号とを分別して認識させるよう所定の提示部に提示する制御部とを設けるようにした。
【０００８】
本発明では、ダイレクト入金を行う場合において、搬送不良が発生した際に既に収納庫に収納されている今回の取引で入金された紙幣を確実に顧客に返却することができる。
【発明の効果】
【０００９】
本発明によれば、ダイレクト入金を行う場合において、搬送不良が発生した際に既に収納庫に収納されている今回の取引で入金された紙幣を確実に顧客に返却することができる。かくして本発明は、信頼性を高め得る紙幣取引装置を実現できる。
【図面の簡単な説明】
【００１０】
【図１】現金自動取引装置の構成を示す斜視図である。
【図２】現金自動取引装置の制御構成を示すブロック図である。
【図３】紙幣入出金機の構成を示す左側面図である。
【図４】カセット記番号リスト（１）を示す図である。
【図５】カセット記番号リスト（２）を示す図である。
【図６】カセット記番号リスト（３）を示す図である。
【図７】収納紙幣記番号リスト（１）を示す図である。
【図８】収納紙幣記番号リスト（２）を示す図である。
【図９】入金処理手順を示すフローチャートである。
【図１０】出金処理手順を示すフローチャートである。
【図１１】入金処理における紙幣の経路を示す略線図である。
【図１２】出金処理における紙幣の経路を示す略線図である。
【図１３】前取引時最終紙幣記番号提示画面を示す略線図である。
【発明を実施するための形態】
【００１１】
以下、発明を実施するための形態（以下実施の形態とする）について、図面を用いて説明する。
【００１２】
［１．第１の実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行う。筐体２は、その前側に顧客が対峙した状態で紙幣の投入やタッチパネルによる操作等をしやすい箇所に接客部３が設けられている。
【００１３】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。また入出金口５は、シャッタを駆動することにより開放又は閉塞する。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１４】
筐体２内には、現金自動取引装置１全体を統括制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる装置記憶部３０から所定のプログラムを読み出して実行することにより、各部を制御して入金取引や出金取引等の種々の処理を行う。
【００１５】
装置記憶部３０は、紙幣の鑑別結果及び紙幣の記番号の識別結果や、紙幣の枚数を計数した計数結果等を取引情報と合わせて記憶する。この装置記憶部３０は、図７に示す収納紙幣記番号リストＬｉを記憶している。収納紙幣記番号リストＬｉは、リサイクル庫２６及び入金庫２８それぞれに収納されている全ての紙幣の記番号を、収納された順番で、すなわち収納紙幣記番号リストＬｉの上側から下側に向かって、リサイクル庫２６及び入金庫２８の上側に集積されている紙幣から下側に集積されている紙幣となるよう、収納される最大枚数分の記番号をリストとして記憶している。この収納紙幣記番号リストＬｉは、後述するカセット記番号リストＬｃに基づいて最新の情報に更新される。また主制御部９は、収納紙幣記番号リストＬｉに基づき、後述する前取引時最終紙幣記番号提示画面ＤＩＰ１を操作表示部６に表示させる。
【００１６】
以下では、現金自動取引装置１のうち利用者が対峙する側を前側とし、その反対を後側とし、当該前側に対峙した利用者から見て左及び右をそれぞれ左側及び右側とし、さらに上側及び下側を定義して説明する。
【００１７】
［１−２．紙幣入出金機の内部構成］
紙幣入出金機１０は、図２及び図３に示すように、入出金機制御部１２が各部（紙幣入出金部１６、搬送部２４、鑑別部１８、一時保留部２０、リサイクル庫２６及び入金庫２８）を統括制御する。
【００１８】
入出金機制御部１２は、図示しないＣＰＵを中心に構成されており、ＲＯＭ、ＲＡＭ、ハードディスクドライブやフラッシュメモリ等でなる記憶部１３（図１）から所定のプログラムを読み出して実行することにより、各部を制御して入金取引や出金取引等の種々の処理を行う。
【００１９】
紙幣入出金機１０の内部には、上側に紙幣入出金部１６、紙幣の金種や真偽を判定する鑑別部１８及び紙幣を一時的に保留する一時保留部２０等が設けられている。
【００２０】
紙幣入出金部１６は、顧客から投入された紙幣を１枚ずつ分離し搬送部２４へ繰り出す。また紙幣入出金部１６は、搬送部２４へ繰り出す紙幣と、入金不可紙幣として紙幣入出金部１６へ戻された紙幣とを分別して保持する。さらに紙幣入出金部１６は、当該紙幣入出金部１６内部において、搬送部２４へ繰り出す紙幣が存在するか否かを検出する図示しない紙幣検知センサが設けられている。
【００２１】
搬送部２４は、図示しないローラやベルト等により、図中太線で示す搬送路に沿って長方形の紙幣を短手方向に搬送する。搬送部２４は、鑑別部１８を前後方向に挿通させるように紙幣を搬送し、当該鑑別部１８の後側と一時保留部２０、紙幣入出金部１６、リサイクル庫２６及び入金庫２８とをそれぞれ接続している。また搬送部２４は、鑑別部１８の前側と紙幣入出金部１６、リサイクル庫２６及び入金庫２８とをそれぞれ接続している。搬送部２４の分岐点には、セレクタ（図示せず）が設けられており、入出金機制御部１２の制御に基づき回動することにより、紙幣の搬送先を切り替える。この搬送部２４には、紙幣を検出する紙幣検出センサが複数箇所に設けられており、紙幣の検出結果を入出金機制御部１２へ送出する。
【００２２】
鑑別部１８は、その内部で紙幣を搬送しながら、光学素子や磁気検出素子等を用いて当該紙幣の金種及び真偽、並びに損傷の程度等（正損）を鑑別し、その鑑別結果を入出金機制御部１２へ通知する。また鑑別部１８は、撮像した紙幣の画像データから、紙幣毎に付与されその紙幣の一面に予め印刷された英数字等で構成された紙幣識別情報である記番号を読み取り識別する。このとき鑑別部１８は、識別した字を識別結果として入出金機制御部１２へ通知する。これに応じて入出金機制御部１２は、取得した鑑別結果及び識別結果に基づいて紙幣の搬送先を決定する。
【００２３】
一時保留部２０は、出金時において鑑別部１８で出金不可能と鑑別された出金不可紙幣を、出金可能な紙幣が出金されるまで一時的に保留し、その後当該出金不可紙幣を入金庫２８へ排出する。
【００２４】
また紙幣入出金機１０の内部には、下側に金種別のリサイクル庫２６（２６ａ、２６ｂ及び２６ｃ）と、鑑別部１８において破損した紙幣（いわゆる損券）と鑑別された紙幣、偽造券と判別された紙幣及び５千券や２千券等の還流されない金種の紙幣を格納する入金庫２８とが設けられている。リサイクル庫２６及び入金庫２８は、紙幣入出金機１０に設けられたスロットに着脱自在に構成されている。リサイクル庫２６は、収納排出機構により、搬送部２４から搬送されてきた紙幣を取り込んで、既に収納されている紙幣の上側に集積すると共に、収納されている紙幣における最上位の紙幣から順に排出して搬送部２４へ供給する。
【００２５】
入金庫２８、リサイクル庫２６ａ、２６ｂ及び２６ｃそれぞれは、例えばフラッシュメモリ等により構成されたカセット記憶部３２を内蔵している。カセット記憶部３２は、入出金機制御部１２から記番号の識別結果を取得し紙幣毎に記憶する。カセット記憶部３２は、当該カセット記番号リストＬｃを記憶しているカセット記憶部３２が内蔵されたリサイクル庫２６又は入金庫２８に収納されている紙幣の枚数と、図４に示すカセット記番号リストＬｃを記憶している。カセット記番号リストＬｃは、当該カセット記番号リストＬｃを記憶しているカセット記憶部３２が内蔵されたリサイクル庫２６又は入金庫２８に収納されている全ての紙幣の記番号を、収納された順番で、すなわちカセット記番号リストＬｃの上側から下側に向かって、リサイクル庫２６又は入金庫２８の上側に集積されている紙幣から下側に集積されている紙幣となるよう、収納される最大枚数分の記番号をリストとして記憶している。リサイクル庫２６又は入金庫２８には、取引が正常に終了すると、当該リサイクル庫２６又は入金庫２８のカセット記憶部３２に記憶されたカセット記番号リストＬｃに記載された順番に紙幣が収納されることとなる。
【００２６】
ここで、図４に示すカセット記番号リストＬｃは、リサイクル庫２６ａのカセット記憶部３２に記憶されたものであり、当該リサイクル庫２６ａには、リサイクル庫２６及び入金庫２８を識別する識別情報であるカセット番号として、「１００００１」が割り振られている。またリサイクル庫２６ｂ、２６ｃ及び入金庫２８のカセット番号には、それぞれ「１００００２」、「１００００３」及び「１００００５」が割り振られている。カセット記番号リストＬｃは、入金処理によりリサイクル庫２６又は入金庫２８に収納された紙幣の記番号を、取引ＩＤ、日付情報、時間情報及び取引情報と合わせて記憶している。具体的にはカセット記番号リストＬｃは、取引ＩＤ情報を示す「取引ＩＤ」の列に、紙幣がリサイクル庫２６又は入金庫２８に収納された取引を識別する識別情報を記憶し、日付情報を示す「日付」の列に、紙幣がリサイクル庫２６又は入金庫２８に収納された日付を記憶し、時間情報を示す「時間」の列に、紙幣がリサイクル庫２６又は入金庫２８に収納された時間を記憶し、取引情報を示す「取引」の列に、紙幣がリサイクル庫２６又は入金庫２８に収納された際の取引である「入金」を記憶し、記番号情報を示す「記番号」の列に、識別された記番号を記憶する。
【００２７】
カセット記番号リストＬｃの記番号情報は、入出金機制御部１２を介して主制御部９に通知され、主制御部９により全てのリサイクル庫２６及び入金庫２８の情報がまとめられ装置記憶部３０の収納紙幣記番号リストＬｉに記憶される。
【００２８】
かかる構成において現金自動取引装置１は、鑑別部１８による紙幣の鑑別結果及び識別結果等をもとに主制御部９及び入出金機制御部１２が各部を制御して、紙幣の入金処理及び出金処理等を行う。
【００２９】
［１−３．入金処理］
次に、現金自動取引装置１による入金処理の具体的な処理手順について、図９に示すフローチャートを用いて詳細に説明する。なお図１１及び図１２においては、紙幣入出金機１０内部を簡略化して図示している。
【００３０】
紙幣入出金機１０の入出金機制御部１２は、顧客が入金取引を行う場合、記憶部１３から入金処理プログラムを読み出して実行することにより図９に示す入金処理手順ＲＴ１を開始し、ステップＳＰ１へ移る。ステップＳＰ１において入出金機制御部１２は、入出金口５のシャッタを開いて紙幣入出金部１６内へ紙幣を投入させ、当該紙幣を１枚ずつ鑑別部１８へ搬送することにより鑑別させて鑑別結果を取得し、ステップＳＰ２へ移る。ステップＳＰ２において入出金機制御部１２は、鑑別部１８において紙幣の記番号を識別させて識別結果を取得し、ステップＳＰ３へ移る。
【００３１】
ステップＳＰ３において入出金機制御部１２は、鑑別結果が正常であるか否かを判定する。ここで肯定結果が得られると、このことは鑑別結果が正常であったため紙幣が入金可能紙幣であることを表し、このとき入出金機制御部１２はステップＳＰ４へ移る。ステップＳＰ４において入出金機制御部１２は、図１１に示すようにセレクタ（図示せず）をルートＲ１へ切り替え、紙幣を一時保留部２０を介さず鑑別部１８から直接リサイクル庫２６へ搬送する、すなわちダイレクト入金を行いステップＳＰ６へ移る。
【００３２】
ステップＳＰ６において入出金機制御部１２は、リサイクル庫２６又は入金庫２８へ搬送した紙幣の記番号を、当該紙幣が収納されたリサイクル庫２６又は入金庫２８におけるカセット記憶部３２のカセット記番号リストＬｃに追加することにより、当該カセット記番号リストＬｃを更新し、ステップＳＰ７へ移る。具体的には入出金機制御部１２は、図４に示したカセット記番号リストＬｃの状態から、記番号として「１１１１１７」、「１１１１１８」及び「１１１１１９」が順に付された３枚の紙幣を例えばリサイクル庫２６ａに収納した場合、図５に示すカセット記番号リストＬｃのように、今回の入金取引を識別する取引ＩＤである取引ＩＤ３として、前回の入金取引の取引ＩＤである取引ＩＤ２の行の上に、下から順に記番号情報として「１１１１１７」、「１１１１１８」及び「１１１１１９」と、当該記番号情報に対応した日付情報、時間情報及び取引情報とを追加する。
【００３３】
ステップＳＰ７において入出金機制御部１２は、リサイクル庫２６又は入金庫２８へ搬送した紙幣の記番号の識別結果を主制御部９へ送出し、ステップＳＰ８へ移る。主制御部９は、入出金機制御部１２から取得した記番号を、収納紙幣記番号リストＬｉにおける、今回紙幣を収納したリサイクル庫２６又は入金庫２８のカセット番号が付された列における最新の記番号情報の上側に追加する。
【００３４】
一方ステップＳＰ３において否定結果が得られると、このことは紙幣が入金不可紙幣であることを表し、このとき入出金機制御部１２はステップＳＰ５へ移る。ステップＳＰ５において入出金機制御部１２は、図１１に示すようにセレクタ（図示せず）をルートＲ２へ切り替え、紙幣を鑑別部１８から紙幣入出金部１６へ搬送してステップＳＰ８へ移る。
【００３５】
ステップＳＰ８において入出金機制御部１２は、紙幣をリサイクル庫２６へ搬送する際に当該紙幣が搬送部２４に詰まり、搬送不良であるジャムが発生したか否かを判定する。ここで否定結果が得られると、このことは搬送不良は発生していないため紙幣入出金部１６から引き続き紙幣の繰り出しを行うことを表し、このとき入出金機制御部１２はステップＳＰ９へ移る。
【００３６】
ステップＳＰ９において入出金機制御部１２は、紙幣検知センサにより紙幣入出金部１６内に搬送部２４へ繰り出すべき紙幣が存在するか否かを判定する。ここで肯定結果が得られると、このことは投入された紙幣が未だ紙幣入出金部１６に残留していることを表し、このとき入出金機制御部１２はステップＳＰ１へ戻り、紙幣入出金部１６から次の紙幣を搬送部２４へ繰り出す。一方ステップＳＰ９において否定結果が得られると、このことは投入された全ての紙幣を紙幣入出金部１６から搬送部２４へ繰り出したことを表し、このとき入出金機制御部１２はステップＳＰ１０へ移る。
【００３７】
ステップＳＰ１０において入出金機制御部１２は、今回の入金取引終了時におけるリサイクル庫２６及び入金庫２８それぞれにおいて最上位に集積されている紙幣である前取引時最終紙幣の記番号を示す前取引時最終紙幣記番号ＬＮを、収納紙幣記番号リストＬｉにおける全てのリサイクル庫２６及び入金庫２８において設定する。具体的には入出金機制御部１２は、今回の入金取引終了時における図７に示す収納紙幣記番号リストＬｉにおいて、カセット番号として「１００００１」が割り振られたリサイクル庫２６ａの前取引時最終紙幣の前取引時最終紙幣記番号ＬＮを記番号「１１１１１９」に、カセット番号として「１００００２」が割り振られたリサイクル庫２６ｂの前取引時最終紙幣の前取引時最終紙幣記番号ＬＮを記番号「２２２２２９」に、カセット番号として「１００００３」が割り振られたリサイクル庫２６ｃの前取引時最終紙幣の前取引時最終紙幣記番号ＬＮを記番号「３３３３３９」に、カセット番号として「１００００５」が割り振られた入金庫２８の前取引時最終紙幣の前取引時最終紙幣記番号ＬＮを記番号「５５５５５９」にそれぞれ設定する。
【００３８】
続いて入出金機制御部１２は、ステップＳＰ１３へ移り、入金処理手順ＲＴ１を終了する。
【００３９】
一方入金取引中に搬送不良が発生すると、ステップＳＰ８において入出金機制御部１２は肯定結果を得て、入金取引を中断しステップＳＰ１１へ移る。このとき収納紙幣記番号リストＬｉは、図７に示した状態から、図８に示すように、リサイクル庫２６ａ（カセット番号「１００００１」）に記番号「１１１１１Ａ」、「１１１１１Ｂ」、「１１１１？？」及び「１１１１？１」が順に追加され、リサイクル庫２６ｃ（カセット番号「１００００３」）に記番号「３３３３４０」及び「３３３３４１」が順に追加されている。
【００４０】
ここで、今回の入金取引において搬送不良が発生する以前に前取引時最終紙幣の上に集積された紙幣である今回取引時収納紙幣の記番号を、今回取引時収納紙幣記番号ＴＮとも呼ぶ。因みに記番号における「？」は、鑑別部１８において記番号が読み取れなかった不読文字を示している。
【００４１】
ステップＳＰ１１において入出金機制御部１２は、収納紙幣記番号リストＬｉからリサイクル庫２６及び入金庫２８それぞれの前取引時最終紙幣記番号ＬＮである記番号「１１１１１９」、記番号「２２２２２９」、記番号「３３３３３９」及び記番号「５５５５５９」それぞれを抽出し、ステップＳＰ１２へ移る。
【００４２】
ステップＳＰ１２において入出金機制御部１２は、操作表示部６を介して前取引時最終紙幣記番号提示画面を表示するよう行員に操作されると、図１３に示す前取引時最終紙幣記番号提示画面ＤＩＰ１を提示部としての操作表示部６に表示させ、ステップＳＰ１３へ移り、入金処理手順ＲＴ１を終了する。この前取引時最終紙幣記番号提示画面ＤＩＰ１は、収納紙幣記番号リストＬｉから抽出したリサイクル庫２６及び入金庫２８それぞれの前取引時最終紙幣記番号ＬＮを示している。
【００４３】
行員は、前取引時最終紙幣記番号提示画面ＤＩＰ１に表示された前取引時最終紙幣記番号ＬＮを確認し、当該前取引時最終紙幣記番号ＬＮが付された紙幣よりも上側に集積されている紙幣を、前回の取引の終了時までに集積された紙幣の後であり、搬送不良が発生した今回の取引において収納された、顧客に返却すべき紙幣として、リサイクル庫２６及び入金庫２８から取り出し、顧客へ返却する。具体的には行員は、リサイクル庫２６ａ（カセット番号「１００００１」）における前取引時最終紙幣記番号ＬＮである記番号「１１１１１９」が付された紙幣よりも上側に集積されている、記番号「１１１１１Ａ」、「１１１１１Ｂ」、「１１１１？？」及び「１１１１？１」それぞれが付された紙幣をリサイクル庫２６ａから取り出して顧客へ返却すると共に、リサイクル庫２６ｃ（カセット番号「１００００３」）における前取引時最終紙幣記番号ＬＮである記番号「３３３３３９」が付された紙幣よりも上側に集積されている、記番号「３３３３４０」及び「３３３３４１」それぞれが付された紙幣をリサイクル庫２６ｃから取り出して顧客へ返却する。
【００４４】
［１−４．出金処理］
次に、現金自動取引装置１による出金処理の具体的な処理手順について、図１０に示すフローチャートを用いて詳細に説明する。紙幣入出金機１０の入出金機制御部１２は、顧客が出金取引を行う場合、記憶部１３から出金処理プログラムを読み出して実行することにより図１０に示す出金処理手順ＲＴ２を開始し、ステップＳＰ２１へ移る。ステップＳＰ２１において入出金機制御部１２は、顧客により操作表示部６を介して出金取引が選択され出金金額が入力されると、要求金額に応じて必要な金種毎の紙幣枚数を認識し、出金枚数のカウントを開始し、ステップＳＰ２２へ移る。
【００４５】
ステップＳＰ２２において入出金機制御部１２は、要求金額に応じた金種毎の紙幣枚数に応じて各リサイクル庫２６から紙幣を繰り出して鑑別部１８へ搬送することにより鑑別させて鑑別結果を取得し、ステップＳＰ２３へ移る。ステップＳＰ２３において入出金機制御部１２は、鑑別部１８において紙幣の記番号を識別させて識別結果を取得し、ステップＳＰ２４へ移る。
【００４６】
ステップＳＰ２４において入出金機制御部１２は、鑑別結果が正常であるか否かを判定する。ここで肯定結果が得られると、このことは鑑別結果が正常であったため紙幣が出金可能紙幣であることを表し、このとき入出金機制御部１２はステップＳＰ２５へ移る。
【００４７】
ステップＳＰ２５において入出金機制御部１２は、出金枚数のカウントを１だけ増加させ、ステップＳＰ２６へ移る。ステップＳＰ２６において入出金機制御部１２は、図１２に示すようにセレクタ（図示せず）をルートＲ３へ切り替え、紙幣を鑑別部１８から紙幣入出金部１６へ搬送してステップＳＰ２８へ移る。
【００４８】
一方ステップＳＰ２４において否定結果が得られると、このことは紙幣が出金不可紙幣であることを表し、このとき入出金機制御部１２はステップＳＰ２７へ移る。ステップＳＰ２７において入出金機制御部１２は、図１２に示すようにセレクタ（図示せず）をルートＲ４へ切り替え、紙幣を鑑別部１８から一時保留部２０へ搬送してステップＳＰ２８へ移る。
【００４９】
ステップＳＰ２８において入出金機制御部１２は、リサイクル庫２６から紙幣入出金部１６又は一時保留部２０へ搬送した紙幣の記番号を、当該紙幣が収納されていたリサイクル庫２６におけるカセット記憶部３２のカセット記番号リストＬｃから削除することにより、当該カセット記番号リストＬｃを更新し、ステップＳＰ２９へ移る。具体的には入出金機制御部１２は、図５に示したカセット記番号リストＬｃの状態から、記番号として「１１１１１９」、「１１１１１８」、「１１１１１７」、「１１１１１６」及び「１１１１１５」が順に付された５枚の紙幣を例えばリサイクル庫２６ａから繰り出した場合、記番号「１１１１１９」、「１１１１１８」、「１１１１１７」、「１１１１１６」及び「１１１１１５」を上から順に削除し、カセット記番号リストＬｃを図６に示す状態にする。
【００５０】
ステップＳＰ２９において入出金機制御部１２は、リサイクル庫２６から紙幣入出金部１６又は一時保留部２０へ搬送した紙幣の記番号の識別結果を主制御部９へ送出し、ステップＳＰ３０へ移る。主制御部９は、入出金機制御部１２から取得した記番号を、収納紙幣記番号リストＬｉにおける、今回紙幣を繰り出したリサイクル庫２６のカセット番号が付された行から削除する。
【００５１】
ステップＳＰ３０において入出金機制御部１２は、要求金額に応じた紙幣の枚数に出金枚数のカウントが達したか否かを判定する。ここで否定結果が得られると、このことは要求金額に応じた紙幣の枚数分の紙幣を未だ紙幣入出金部１６へ集積させていないことを表し、このとき入出金機制御部１２はステップＳＰ２２へ戻り、リサイクル庫２６から次の紙幣を鑑別部１８へ繰り出す。一方ステップＳＰ３０において肯定結果が得られると、このことは要求金額に応じた紙幣の枚数分の紙幣を紙幣入出金部１６へ集積させたことを表し、このとき入出金機制御部１２はシャッタを開け、紙幣入出金部１６内に集積されている紙幣を利用者に受け渡すことにより出金し、ステップＳＰ３１へ移る。
【００５２】
ステップＳＰ３１において入出金機制御部１２は、今回の出金取引終了時においてリサイクル庫２６及び入金庫２８それぞれの最上位に集積されている紙幣の記番号である前取引時最終紙幣記番号ＬＮを、収納紙幣記番号リストＬｉにおける全てのリサイクル庫２６及び入金庫２８における前取引時最終紙幣に設定し、ステップＳＰ３２へ移り出金処理手順ＲＴ２を終了する。
【００５３】
［１−５．効果］
従来、ダイレクト入金を行わない現金自動取引装置の場合、入金取引において入金が確定する前の紙幣を一時保留部に保留し、入金が確定すると当該一時保留部からリサイクル庫へ搬送して収納するため、入金が確定する前の紙幣を、現金自動取引装置側の紙幣ではなく、顧客側の紙幣として取り扱うことができる。
【００５４】
これに対しダイレクト入金を行う現金自動取引装置の場合、入金取引において入金が確定する前の紙幣をリサイクル庫へ搬送して収納するため、現金自動取引装置側のものとして取り扱う紙幣と顧客側のものとして取り扱う紙幣とが、入金が確定する前にリサイクル庫に混在することとなる。このためダイレクト入金を行う従来の現金自動取引装置においては、入金が確定する前に搬送不良が発生すると、今回の取引において顧客が入金した紙幣を特定することが困難になってしまっていた。
【００５５】
このため従来の現金自動取引装置の場合、搬送不良が発生すると、現金自動取引装置内部の全紙幣の精査を行い、搬送不良が発生する前の各リサイクル庫２６及び入金庫２８の有高と、搬送不良が発生した後の各リサイクル庫２６及び入金庫２８の有高とを比較し、その差分の枚数分だけ紙幣を顧客に返却する必要があり、行員の対応が煩雑となると共に、顧客を長時間待たせてしまう問題があった。
【００５６】
これに対し現金自動取引装置１は、入金取引及び出金取引を終了する際、リサイクル庫２６及び入金庫２８それぞれにおいて最上位に集積されている紙幣の記番号である前取引時最終紙幣記番号ＬＮを、収納記番号データとしての収納紙幣記番号リストＬｉにおける全てのリサイクル庫２６及び入金庫２８において設定し、その後の入金取引において搬送不良が発生した場合、当該前取引時最終紙幣記番号ＬＮを前取引時最終紙幣記番号提示画面ＤＩＰ１に表示させるようにした。
【００５７】
これにより行員は、前取引時最終紙幣記番号ＬＮが付された紙幣よりも上側に集積された紙幣を、今回の取引において入金され搬送不良が発生する前にリサイクル庫２６又は入金庫２８に収納された紙幣である今回取引時収納紙幣であると認識することができ、当該今回取引時収納紙幣を顧客に返却することができる。これにより現金自動取引装置１は、搬送不良が発生する前にリサイクル庫２６又は入金庫２８に収納された紙幣を確実に顧客に返却することができる。また現金自動取引装置１は、行員の対応が煩雑となることを防止すると共に、顧客を長時間待たせないようにすることができる。
【００５８】
ところで、鑑別部を通過しリサイクル庫に収納される前の紙幣の記番号を第１記憶部に記憶し、リサイクル庫に収納された紙幣の記番号を第１記憶部から第２記憶部へ移動させ当該第１記憶部から削除することにより、搬送不良が発生した際に第１記憶部に記番号が記憶されている紙幣を顧客に返却することも考えられる。しかしながらその場合、搬送不良が発生する前に第２記憶部に記番号が移動された紙幣はリサイクル庫に収納されており、前回の取引において第２記憶部に記番号が移動された紙幣と混ざってしまうため、前回までの取引においてリサイクル庫に収納された紙幣と今回の取引においてリサイクル庫に収納された紙幣とを区別することができず、今回の取引においてリサイクル庫に収納された紙幣だけを顧客に返却することが困難になってしまう。
【００５９】
これに対し現金自動取引装置１は、記番号のデータを取引単位で区切り、前取引時最終紙幣記番号ＬＮを設定して記憶するようにしたため、当該前取引時最終紙幣記番号ＬＮの後に今回の取引において搬送不良が発生する前にリサイクル庫２６又は入金庫２８に収納された紙幣の記番号を今回取引時収納紙幣記番号ＴＮとして認識することができる。これにより現金自動取引装置１は、今回の取引において搬送不良が発生する前にリサイクル庫２６又は入金庫２８に収納した紙幣を確実に顧客に返却させることができる。
【００６０】
また前取引時最終紙幣の後に、今回の取引においてリサイクル庫２６及び入金庫２８に収納した紙幣の枚数を鑑別部１８により監視しリサイクル庫２６又は入金庫２８毎に記憶することも考えられるが、その場合、搬送不良が発生し紙幣が衝突したような場合には、検出した紙幣の枚数と実際にリサイクル庫２６及び入金庫２８に収納した紙幣の枚数とに差異が生じる可能性がある。
【００６１】
これに対し現金自動取引装置１は、リサイクル庫２６及び入金庫２８に収納した紙幣から読み取った記番号をリサイクル庫２６又は入金庫２８毎に記憶するようにした。これにより現金自動取引装置１は、行員に対し、今回取引時収納紙幣記番号ＴＮを確認させながら、顧客が投入した紙幣そのものを確実に返却させることができる。
【００６２】
また現金自動取引装置１は、収納紙幣記番号リストＬｉから抽出したリサイクル庫２６及び入金庫２８それぞれの前取引時最終紙幣記番号ＬＮのみを前取引時最終紙幣記番号提示画面ＤＩＰ１に表示させるようにした。これにより現金自動取引装置１は、収納紙幣記番号リストＬｉをそのまま操作表示部６に表示させる場合と比べて、シンプルな画面表示とし、表示領域を削減できる。
【００６３】
また現金自動取引装置１は、カセット記番号リストＬｃを、リサイクル庫２６のカセット記憶部３２に記憶させるようにした。これにより現金自動取引装置１は、リサイクル庫２６が現金自動取引装置１から取り外され他の現金自動取引装置に装着された際、当該リサイクル庫２６のカセット記憶部３２のカセット記番号リストＬｃから記番号のデータを他の現金自動取引装置の装置記憶部に転送させ収納紙幣記番号リストＬｉに記憶させることができる。
【００６４】
以上の構成によれば現金自動取引装置１は、紙幣を取込又は排出する接客部３と、紙幣を搬送する搬送部２４と、少なくとも紙幣の記番号を取得する鑑別部１８と、紙幣を順に並べて収納するリサイクル庫２６又は入金庫２８と、リサイクル庫２６又は入金庫２８に収納された紙幣の記番号を収納された順に収納紙幣記番号リストＬｉとして記憶する装置記憶部３０と、接客部３から取り込んだ紙幣が搬送部２４上で搬送不良となった場合、接客部３により紙幣を取り込む以前からリサイクル庫２６又は入金庫２８に収納されていた紙幣の記番号と、接客部３により紙幣を取り込んだ後であり搬送不良が発生する前にリサイクル庫２６又は入金庫２８に収納された紙幣の記番号とを区別して認識させるよう操作表示部６に表示させる入出金機制御部１２とを設けるようにした。これにより現金自動取引装置１は、ダイレクト入金を行う場合において、搬送不良が発生した際に既にリサイクル庫２６及び入金庫２８に収納されている今回の取引で入金された紙幣を確実に顧客に返却することができる。
【００６５】
［２．他の実施の形態］
なお上述した実施の形態においては、前取引時最終紙幣記番号提示画面ＤＩＰ１に、収納紙幣記番号リストＬｉから抽出したリサイクル庫２６及び入金庫２８それぞれの前取引時最終紙幣記番号ＬＮを表示する場合について述べた。本発明はこれに限らず、収納紙幣記番号リストＬｉから抽出したリサイクル庫２６及び入金庫２８それぞれの今回取引時収納紙幣記番号ＴＮを表示しても良い。その場合行員は、今回取引時収納紙幣記番号ＴＮを確認し、当該今回取引時収納紙幣記番号ＴＮが付された紙幣を、前回の取引の終了時までに集積された紙幣の後であり、搬送不良が発生した今回の取引において収納された、顧客に返却すべき紙幣として、リサイクル庫２６及び入金庫２８から取り出し、顧客へ返却する。
【００６６】
また前取引時最終紙幣記番号ＬＮと今回取引時収納紙幣記番号ＴＮとを区分けして両方表示しても良い。その場合行員は、前取引時最終紙幣記番号ＬＮ及び今回取引時収納紙幣記番号ＴＮを確認し、当該前取引時最終紙幣記番号ＬＮが付された紙幣の上側に集積されている当該今回取引時収納紙幣記番号ＴＮが付された紙幣をリサイクル庫２６及び入金庫２８から取り出し、顧客へ返却する。
【００６７】
また今回取引時収納紙幣記番号ＴＮが複数個存在する場合、複数の当該今回取引時収納紙幣記番号ＴＮのうち、収納紙幣記番号リストＬｉにおいて最も下側に位置する今回取引時収納紙幣記番号ＴＮ、すなわちリサイクル庫２６又は入金庫２８において、今回取引時収納紙幣のうち最初に収納された紙幣の記番号のみを表示し、表示された記番号が付された紙幣と当該紙幣よりも上側に集積されている紙幣とを取り除くよう表示しても良い。その場合行員は、表示された記番号を確認し、当該記番号が付された紙幣と、当該記番号が付された紙幣よりも上側に集積された紙幣とをリサイクル庫２６及び入金庫２８から取り出し、顧客へ返却する。
【００６８】
また例えば、収納紙幣記番号リストＬｉを操作表示部６に表示させても良い。その場合、前取引時最終紙幣記番号ＬＮの表示色のみを赤色にする等、他の記番号とは異なる表示態様にしても良い。また、今回取引時収納紙幣記番号ＴＮの表示色のみを黄色にする等、他の記番号とは異なる表示態様にしても良い。さらに、それぞれ前取引時最終紙幣記番号ＬＮを赤色に、今回取引時収納紙幣記番号ＴＮを黄色にする等、前取引時最終紙幣記番号ＬＮ及び今回取引時収納紙幣記番号ＴＮを他の記番号とは異なる表示態様にしつつ、前取引時最終紙幣記番号ＬＮと今回取引時収納紙幣記番号ＴＮとを互いに異なる表示態様にしても良い。要は、前回の取引終了時において最上位に集積された紙幣と、当該紙幣の上に集積された、今回の取引における紙幣とを、区分して行員に認識させることができれば良い。
【００６９】
また上述した実施の形態においては、カセット記番号リストＬｃにおいて取引ＩＤにより取引を識別する場合について述べた。本発明はこれに限らず、例えば２０１４年６月２０日の１４時に行われた取引はまとめて一取引である等、日付情報及び時間情報により取引を識別しても良い。また時間情報には、秒まで記憶しても良い。
【００７０】
さらに上述した実施の形態においては、リサイクル庫２６又は入金庫２８へ搬送した紙幣の記番号を、当該紙幣が収納されたリサイクル庫２６又は入金庫２８におけるカセット記憶部３２のカセット記番号リストＬｃに追加すると共に、リサイクル庫２６から繰り出した紙幣の記番号を、当該紙幣を収納していたリサイクル庫２６におけるカセット記憶部３２のカセット記番号リストＬｃから削除することにより、当該カセット記番号リストＬｃを更新する場合について述べた。本発明はこれに限らず、カセット記番号リストＬｃを更新せず、収納紙幣記番号リストＬｉだけを更新するようにしても良い。その場合、カセット記憶部３２を省略することができ、構成を簡素化することができる。
【００７１】
さらに上述した実施の形態においては、前取引時最終紙幣記番号提示画面ＤＩＰ１を操作表示部６に表示することにより、行員に提示する場合について述べた。本発明はこれに限らず、例えば音声で出力したり、印字して出力したり、現金自動取引装置１を管理する管理装置へ種々の方法で送信したりする等、種々の方法で行員に提示しても良い。
【００７２】
さらに上述した実施の形態においては、記憶部１３に予め記憶させておいた入金処理プログラム及び出金処理プログラムを読み出して実行する場合について述べた。本発明はこれに限らず、例えばＵＳＢ（Universal Serial Bus）等のインタフェースやＩＥＥＥ（Institute of Electrical and Electronics Engineers）８０２．３ａｂ等のネットワーク、或いはＣＤ−ＲＯＭ（Compact Disc-Read Only Memory）等の外部記憶媒体を介して、外部から入金処理プログラム及び出金処理プログラムを取得して実行しても良い。
【００７３】
さらに上述した実施の形態においては、現金を取引する現金自動取引装置１において、媒体としての紙幣の記番号を読み取る場合に本発明を適用する場合について述べた。本発明はこれに限らず、例えば商品券や金券、入場券等のような薄い紙状の媒体に付された固有な識別字を読み取る種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００７４】
さらに上述した実施の形態においては、入金取引及び出金取引を行う現金自動取引装置１に本発明を適用する場合について述べたが、入金取引のみを行う装置又は出金取引のみを行う装置に本発明を適用しても良い。
【００７５】
さらに上述した実施の形態においては、接客部としての接客部３と、搬送部としての搬送部２４と、鑑別部としての鑑別部１８と、収納庫としてのリサイクル庫２６又は入金庫２８と、記憶部としての装置記憶部３０と、制御部としての入出金機制御部１２とによって、紙幣取引装置としての現金自動取引装置１を構成する場合について述べた。本発明はこれに限らず、その他種々の構成でなる接客部と、搬送部と、鑑別部と、収納庫と、記憶部と、制御部とによって、紙幣取引装置を構成しても良い。
【産業上の利用可能性】
【００７６】
本発明は、紙幣の記番号を判別し管理する種々の装置でも利用できる。
【符号の説明】
【００７７】
１……現金自動取引装置、２……筐体、３……接客部、４……カード入出口、５……入出金口、６……操作表示部、７……テンキー、８……レシート発行口、９……主制御部、１０……紙幣入出金機、１２……入出金機制御部、１４……記憶部、１６……紙幣入出金部、１８……鑑別部、２０……一時保留部、２４……搬送部、２６……リサイクル庫、２８……入金庫、３０……装置記憶部、３２……カセット記憶部、Ｌｉ……収納紙幣記番号リスト、Ｌｃ……カセット記番号リスト。ＬＮ……前取引時最終紙幣記番号、ＴＮ……今回取引時収納紙幣記番号、ＤＩＰ１……前取引時最終紙幣記番号提示画面。
【図１】
0006464658.tif 000002
【図２】
0006464658.tif 000003
【図３】
0006464658.tif 000004
【図４】
0006464658.tif 000005
【図５】
0006464658.tif 000006
【図６】
0006464658.tif 000007
【図７】
0006464658.tif 000008
【図８】
0006464658.tif 000009
【図９】
0006464658.tif 000010
【図１０】
0006464658.tif 000011
【図１１】
0006464658.tif 000012
【図１２】
0006464658.tif 000013
【図１３】
0006464658.tif 000014